(57)【特許請求の範囲】
【請求項１】
床上に載置される支持下部フレーム２の上方に上部支持フレーム６を設け、該上部支持フレーム６に背凭フレーム９と座席フレーム１６を回動自在に取付け、該座席フレーム１６の前側に足掛部フレーム２２の基部を回動自在に設けたものにおいて、前記座席フレーム１６の左右何れか一側または両側には、アームレストフレーム５０を、アームレストリンク５６により前記背凭フレーム９の回動に応じて略水平状態を保持しつつ前後するアームレストモードと、前記背凭フレーム９の回動に関わらず座席フレーム１６の側方所定位置に固定状態となるレールモードとに切替えられるように構成し、前記アームレストフレーム５０と前記アームレストリンク５６の後側回動アーム５４の間にアームレストモードのときは互いを回動自在にしレールモードのときは両者を固定する上側ロック機構６５を設け、前記後側回動アーム５４の下部と前記背凭フレーム９との間には前記アームレストモードのとき前記背凭フレーム９の横軸１０側とロックする下側ロック機構６８を夫々設けた多目的チェアのアームレスト。
【請求項２】
請求項１において、前記上側ロック機構６５と下側ロック機構６８は、夫々互いに一方がロックのときは他方がアンロックになるように構成した多目的チェアのアームレスト。
【請求項３】
請求項２において、前記上側ロック機構６５および下側ロック機構６８は、アームレストフレーム５０と後側回動アーム５４の軸着部に回動中心と同心状のロック用ガイド部材５８、６９に、係合部材６０、７１が継脱するロック孔５９、７０を夫々設け、前記係合部材６０と前記下部係合部材７１は前記後側回動アーム５４の長さ方向であって互いに反対方向に移動して前記ロック孔５９、７０の夫々に継脱するように前記後側回動アーム５４に移動自在に夫々設けて構成した多目的チェアのアームレスト。
【請求項４】
請求項３において、前記ロック孔５９は後側回動アーム５４が略垂直状態で係合部材６０が係合し、前記下部係合部材７１は傾斜状態で下部係合部材７１が係合するように構成した多目的チェアのアームレスト。
【発明の詳細な説明】
【０００１】
【産業上の利用分野】
本発明は、多目的チェアのフレームに係るものである。
【０００２】
【従来技術】
従来公知の特開２０００−３４２３７６号公報には、床上に載置される支持下部フレームの上方に上部支持フレームを設け、該上部支持フレームに背凭フレームと座席フレームを回動自在に取付け、該座席フレームの前側に足掛部フレームの基部を回動自在に設けたものにおいて、前記座席フレームの左右何れか一側または両側には、アームレストフレームを、前記背凭フレームの傾斜角度に関わらず略水平状態を保持する構成について記載されている。
また、従来公知ではないが、先願の特願２００１−２６３８７５号には、アームレストフレームとアームレストリンクの後側回動アームの間に上側ロック機構を、前記後側回動アームの下部と前記背凭フレームとの間には切替え機構を夫々設け、アームレストとレールに使用できるようにし、前記上側ロック機構のみに使用態様を切替える操作部材を設けた構成について記載されている。
【０００３】
【発明が解決しようとする課題】
前記公知例は、単に背凭フレームの傾斜角度に関わらず略水平状態を保持するアームレストフレームを設けただけであり、その他に使用方法がない。
即ち、アームレストは、背凭フレームの傾斜角度に関わらず略水平状態を保持させるのは勿論こと、左右側部起立させたままに保持できると、寝ている人の転落を防止するレールにも使用でき、多目的チェアの汎用性を一層広げられる。
前記先行技術のものは、一方はロック機構であるが、他方は切替機構のため、構成が上下において異なり、部品点数が多く、製造・組立て工程が複雑となってコストが高くなるという課題がある。
また、一つの操作部材により使用態様を切替える構成であるから、操作方法がわかりにくいという課題がある。
即ち、一旦、使用態様を切替えたとき、元に戻すのに同じ操作部材を使用するという操作感覚は乏しく、一々操作説明書を読んだりすることがある。
この点を工夫すると、レールとアームレストの両用できて汎用性を高くし、また、操作性を低下させない。
【０００４】
【発明の目的】
コスト削減、汎用性の高いアームレストの提供、操作性の向上。
【０００５】
【課題を解決するための手段】
本発明は、床上に載置される支持下部フレーム２の上方に上部支持フレーム６を設け、該上部支持フレーム６に背凭フレーム９と座席フレーム１６を回動自在に取付け、該座席フレーム１６の前側に足掛部フレーム２２の基部を回動自在に設けたものにおいて、前記座席フレーム１６の左右何れか一側または両側には、アームレストフレーム５０を、アームレストリンク５６により前記背凭フレーム９の回動に応じて略水平状態を保持しつつ前後するアームレストモードと、前記背凭フレーム９の回動に関わらず座席フレーム１６の側方所定位置に固定状態となるレールモードとに切替えられるように構成し、前記アームレストフレーム５０と前記アームレストリンク５６の後側回動アーム５４の間にアームレストモードのときは互いを回動自在にしレールモードのときは両者を固定する上側ロック機構６５を設け、前記後側回動アーム５４の下部と前記背凭フレーム９との間には前記アームレストモードのとき前記背凭フレーム９の横軸１０側とロックする下側ロック機構６８を夫々設けた多目的チェアのアームレストとしたものである。
本発明は、前記アームレストにおいて、前記上側ロック機構６５と下側ロック機構６８は、夫々互いに一方がロックのときは他方がアンロックになるように構成した多目的チェアのアームレストとしたものである。
本発明は、前記アームレストにおいて、前記上側ロック機構６５および下側ロック機構６８は、アームレストフレーム５０と後側回動アーム５４の軸着部に回動中心と同心状のロック用ガイド部材５８、６９に、係合部材６０、７１が継脱するロック孔５９、７０を夫々設け、前記係合部材６０と前記下部係合部材７１は前記後側回動アーム５４の長さ方向であって互いに反対方向に移動して前記ロック孔５９、７０の夫々に継脱するように前記後側回動アーム５４に移動自在に夫々設けて構成した多目的チェアのアームレストとしたものである。
本発明は、前記アームレストにおいて、前記ロック孔５９は後側回動アーム５４が略垂直状態で係合部材６０が係合し、前記下部係合部材７１は傾斜状態で下部係合部材７１が係合するように構成した多目的チェアのアームレストとしたものである。
【０００６】
【実施例】
本発明の実施例を図面により説明すると、１は人工透析患者あるいは歯科受診患者が治療を受けるときに使用する治療用チェア、あるいは、寛いで着座するリラックスチェア等の多目的チェアフレーム本体、２は多目的チェアフレーム本体１の一部を構成する支持下部フレームであり、支持下部フレーム２は前後転輪４を夫々設けて床上に載置する。支持下部フレーム２には任意のリフタ機構５を介して上部支持フレーム６を設ける。
上部支持フレーム６は左右一対の前後方向の前後杆７を有し、前後杆７は前記リフタ機構５を介して支持下部フレーム２に対して上下するように設ける。前後杆７の後部には後側ブラケット８を固定し、後側ブラケット８の上部には背凭フレーム９の下部を横軸１０により回動自在に取付ける。背凭フレーム９の後面（裏面）側の左右中央位置にはリクライニング用モータ１１を回動自在に取付け、リクライニング用モータ１１には該リクライニング用モータ１１の回転により伸縮するリクライニング用ロッド１２を設け、リクライニング用ロッド１２は下方に突出させて取付杆１３の先端に軸１４により軸着し、取付杆１３の基部は前記横軸１０より下方の後側ブラケット８または上部支持フレーム６側に固定する。したがって、前記横軸１０と前記軸１４との間の後側ブラケット８と、背凭フレーム９と、リクライニング用モータ１１のリクライニング用ロッド１２と、取付杆１３とによりリクライニング用リンクを構成している。
【０００７】
しかして、各上部支持フレーム６の基部側上面には上方に起立する起立部１５の下部を夫々固定し、各起立部１５の上端には座席フレーム１６のＵ型形状の後部枠１７の後部を軸１８により回動自在に取付ける。座席フレーム１６の前側には左右方向の座席中間連結フレーム１９を設け、座席中間連結フレーム１９は前記前後杆７の上に載置されて、座席フレーム１６の下方回動を規制するように構成する。
前記座席中間連結フレーム１９の前側には左右方向の座席連結フレーム２０を設け、座席連結フレーム２０には左右一対の座席側アーム２１の基部を夫々固定し、各座席側アーム２１の先端には足掛部フレーム２２の上部枠２３に設けた足掛側アーム２４の先端を左右方向の足掛回動軸２５により回動自在に取付け、足掛部フレーム２２は足掛回動軸２５中心に回動自在に構成する。
この場合、座席側アーム２１および足掛側アーム２４には夫々ストッパ面２６を設け、足掛部フレーム２２を上方回動させて、この足掛部フレーム２２と座席フレーム１６とが互いに水平状態になると、座席側アーム２１と足掛側アーム２４のストッパ面２６が互いに当接して足掛部フレーム２２の上方回動を規制するように構成し、座席フレーム１６に対する足掛部フレーム２２の上方回動を停止させて、座席フレーム１６と足掛部フレーム２２とを一体的に軸１８中心に上方回動させる。また、反対に、座席フレーム１６と足掛部フレーム２２とを一体的に下方回動させ、座席フレーム１６の座席連結フレーム２０が前後杆７の上面に当接すると、座席フレーム１６の下方回動を規制し、足掛部フレーム２２のみ下方回動させる。
３０は足掛部フレーム２２を上下回動させるチルト用モータ、３１はチルト用モータ３０の回転により伸縮するチルト用ロッドであり、チルト用ロッドチルト用ロッド３１は上部枠２３に設けたアーム３２に取付ける。
しかして、足掛部フレーム２２の左右方向の下部枠３３には、左右一対の足掛側下部アーム３４の基部を夫々固定し、各足掛側下部アーム３４の先端にはステップフレーム３５に設けたステップ側アーム３６の先端を左右方向のステップ回動軸３７により回動自在に取付ける。
【０００８】
しかして、足掛部フレーム２２とステップフレーム３５との間には、足掛部フレーム２２が上方回動するに従いステップフレーム３５を前方回動させるステップ用リンク機構４０を設ける。ステップ用リンク機構４０は前記足掛部フレーム２２の上部枠２３にブラケット４１を設け、ブラケット４１に中間アーム４２の中間部を取付軸４３により回動自在に取付け、中間アーム４２の一端（上端）に前後方向のステップリンク杆４４の上端（後端）を軸４５により取付け、ステップリンク杆４４の下端（前端）はステップ側アーム３６に軸４６により取付け、前記中間アーム４２の他端（下端）には作動用リンク杆４７の前端（下端）を軸４８により取付け、作動用リンク杆４７の後端は座席側アーム２１に軸４９により取付ける。
この場合、前記ステップリンク杆４４は前記足掛部フレーム２２の裏側に位置させ、かつ、前記中間アーム４２は、前記ステップフレーム３５をステップ回動軸３７中心に足掛部フレーム２２の裏側に位置する格納位置から互いに水平状態になった足掛部フレーム２２と座席フレーム１６と略水平となる支持位置まで回動させられる長さ（距離）をステップリンク杆４４が移動するように、長さおよび配置を構成する。
しかして、多目的チェアフレーム本体１は、背凭フレーム９が任意の傾斜角度で起立し、足掛部フレーム２２が前下がりのとき、着座する着座モードであり、この着座モードのときに背凭フレーム９および足掛部フレーム２２は独立して回動操作可能であり、また、リフタ機構５により支持下部フレーム２に対して全体を上下可能である。
【０００９】
また、着座モードから背凭フレーム９を後倒れさせ、足掛部フレーム２２を座席フレーム１６と面一になるまで上方回動させると、略水平のベッドモードとなる。
また、前記ステップフレーム３５は、着座モードから、足掛部フレーム２２が座席フレーム１６と面一になるまでに、足掛部フレーム２２の裏側に位置する格納位置から前方回動を開始し、足掛部フレーム２２がベッドモードになって座席フレーム１６と略面一になると、ステップフレーム３５も足掛部フレーム２２と座席フレーム１６と略面一となり、そのまま更に上方回動すると、ステップフレーム３５側を高く、背凭フレーム９側を低くする展身モードにも移行する。
しかして、多目的チェアフレーム本体１の左右何れか一側または両側には、アームレストフレーム５０を設ける。アームレストフレーム５０の前側には前側回動アーム５１の上部を横軸５２により回動自在に取付け、前側回動アーム５１の下部は前記座席フレーム１６の前側部分に横軸５３により回動自在に取付け、アームレストフレーム５０の後側には後側回動アーム５４の上部を横軸５５により回動自在に取付け、後側回動アーム５４の下部は後側ブラケット８に背凭フレーム９を回動自在に取付けた横軸１０に回動自在に取付け、前記前側回動アーム５１と後側回動アーム５４とアームレストフレーム５０により略平行リンクのようなアームレストリンク５６を構成し、アームレストリンク５６によりアームレストフレーム５０は背凭フレーム９の前後回動による傾斜角度にかかわらず略水平状態を保持する。なお、背凭フレーム９が所定角度より後方回動すると、アームレストフレーム５０は後下がり傾斜となる。
【００１０】
この場合、前記アームレストフレーム５０は、背凭フレーム９の傾斜角度にかかわらず略水平状態であって背凭フレーム９の位置に合わせて前後移動するアームレストモードと、背凭フレーム９の回動とは独立して座席フレーム１６の側部に位置するレールモードとに切替えるようにする。
前記後側回動アーム５４の上部軸着部となる横軸５５には該横軸５５を中心とする円弧形状の円弧部を有するロック用ガイド部材５８を設け、該ロック用ガイド部材５８にはロック孔５９を設け、ロック孔５９に係合離脱する係合部材６０を後側回動アーム５４に移動自在に設ける。係合部材６０は軸部材により形成し、係合部材６０は上下一対の取付板６１に挿通し、取付板６１は左右一対の板部材により形成した後側回動アーム５４により挟持する。上下の取付板６１の間の係合部材６０には操作部材６２を任意の方法で取付け、該操作部材６２と取付板６１の間に係合部材６０をロック孔５９に向けて係合するように付勢するバネ６３を設ける。
係合部材６０はロック孔５９に係合するとレールモードとなって後側回動アーム５４を所定角度に保持し、したがって、ロック用ガイド部材５８とロック孔５９と係合部材６０と取付板６１と操作部材６２とバネ６３により上側ロック機構６５を構成する。
しかして、後側回動アーム５４の下部には、アームレストリンク５６の回動を背凭フレーム９に合わせるアームレストモードとなるように、後側回動アーム５４と横軸１０とをロックする下側ロック機構６８を設ける。
下側ロック機構６８は、前記後側回動アーム５４の下部軸着部となる横軸１０に該横軸１０を中心とする円弧形状の下部ロック用ガイド部材６９を設け、該下部ロック用ガイド部材６９には下部ロック孔７０を設け、下部ロック孔７０に係合離脱する下部係合部材７１を後側回動アーム５４に移動自在に設ける。下部係合部材７１は軸部材により形成し、下部係合部材７１は上下一対の下部取付板７２に挿通し、下部取付板７２は前記後側回動アーム５４により挟持する。上下の下部取付板７２の間の下部係合部材７１には下部操作部材７３を摺動のみ自在に取付け、該下部操作部材７３と下部取付板７２の間に下部係合部材７１を下部ロック孔７０に向けて係合するように付勢する下側バネ７４を設ける。
【００１１】
下部係合部材７１は下部ロック孔７０から離脱すると、レールモードとなって前記上側ロック機構６５のロックを許容し、下部係合部材７１が下部ロック孔７０に係合すると、アームレストモードとなり、背凭フレーム９の回動に応じて回転する横軸１０の回転により下部係合部材７１と下部ロック孔７０を介して後側回動アーム５４を背凭フレーム９の回動に応じて回動させる。
この場合、上側ロック機構６５と下側ロック機構６８は夫々ロック孔５９と下部ロック孔７０の位置（位相）を変更し、ロック孔５９は後側回動アーム５４が略垂直のとき係合する位置に形成し、下部ロック孔７０は後側回動アーム５４が傾斜している位置で係合するように形成し、上側ロック機構６５と下側ロック機構６８とがメカロックするのを防止している。
しかして、前記前側回動アーム５１は上部アーム７７と下部アーム７８とに分割形成し、上部アーム７７と下部アーム７８は互いに伸縮自在に構成し、横軸５２と横軸５３との軸間距離を変更しうるように構成する。
実施例では、上部アーム７７は板部材により形成し、上部アーム７７の裏面（内面）下部に一対の摺動筒７９を固定し、一対の軸形状に形成した下部アーム７８を摺動筒７９に挿通する。８０は下部アーム７８の上部に設けた抜け止めストッパ、８１は上部アーム７７と下部アーム７８の縮小を停止させるストッパである。
【００１２】
【作用】
次に作用を述べる。
リクライニング用モータ１１を回転させると、リクライニング用ロッド１２が縮小し、背凭フレーム９は横軸１０中心に後方（下方）回動する。また、リクライニング用モータ１１を逆転させると、リクライニング用ロッド１２が伸長し、背凭フレーム９は横軸１０中心に前方（上方）回動する。
しかして、チルト用モータ３０を回転させると、チルト用ロッド３１が伸長する。チルト用ロッド３１は足掛部フレーム２２のアーム３２を前方に押すので、足掛部フレーム２２は足掛回動軸２５中心に上方回動を開始する。
この場合、座席フレーム１６に設けた座席側アーム２１と足掛部フレーム２２に設けた足掛側アーム２４には、夫々ストッパ面２６を形成しているから、足掛部フレーム２２と座席フレーム１６とが互いに面一状態（略水平）になると、座席側アーム２１と足掛側アーム２４のストッパ面２６が互いに当接して足掛部フレーム２２の上方回動を規制し、足掛部フレーム２２をベッドモードの位置にする。
また、更にチルト用ロッド３１を伸長させると、座席フレーム１６に対する足掛部フレーム２２の上方回動を停止させて、座席フレーム１６と足掛部フレーム２２とを一体的に軸１８中心に上方回動させて、展身モードにする。また、反対に、展身モードまたはベッドモードから座席フレーム１６と足掛部フレーム２２とを一体的に下方回動させて、座席フレーム１６の座席連結フレーム２０が前後杆７の上面に当接すると、座席フレーム１６の下方回動を規制し、足掛部フレーム２２のみ下方回動させて、着座モードとする。
しかして、足掛部フレーム２２の下部枠３３には足掛側下部アーム３４を設け、足掛側下部アーム３４にはステップフレーム３５に設けたステップ側アーム３６をステップ回動軸３７により回動自在に取付け、ステップフレーム３５は足掛部フレーム２２の裏側に位置する格納位置から足掛部フレーム２２と略面一な支持位置まで回動自在であり、座席連結フレーム２０とステップフレーム３５の間にステップ用リンク機構４０を設けているから、チルト用モータ３０により足掛部フレーム２２が上方回動すると、ステップフレーム３５はステップ回動軸３７中心に最初下方回動し、足掛部フレーム２２の下部を通過すると反転するように上方回動を開始し、足掛部フレーム２２が着座モードの座席フレーム１６に略面一になると、ステップフレーム３５は足掛部フレーム２２と略面一になる。
【００１３】
この場合、ステップ用リンク機構４０は、足掛部フレーム２２の上部枠２３のブラケット４１に中間アーム４２の中間部を取付軸４３により回動自在に取付け、中間アーム４２の一端に前後方向のステップリンク杆４４の上端（後端）を軸４５により取付け、ステップリンク杆４４の下端（前端）はステップ側アーム３６に軸４６により取付け、前記中間アーム４２の他端（下端）には作動用リンク杆４７の前端（下端）を軸４８により取付け、作動用リンク杆４７の後端は座席側アーム２１に軸４９により取付けているから、足掛部フレーム２２の裏側に位置するステップリンク杆４４は中間アーム４２が取付軸４３中心に回動することにより所定距離足掛部フレーム２２に対して前進し、ステップリンク杆４４はステップフレーム３５を足掛部フレーム２２の裏側に位置する格納位置からステップ回動軸３７中心に足掛部フレーム２２と略水平となる支持位置まで回動させる。
即ち、チルト用モータ３０によりチルト用ロッド３１が伸長すると、足掛部フレーム２２が足掛回動軸２５中心に回動し、これにより中間アーム４２を取付けた取付軸４３も足掛回動軸２５中心に前方回動するが、作動用リンク杆４７は足掛回動軸２５の下方の軸４９中心に回動するので、その結果、作動用リンク杆４７は中間アーム４２の下端を牽引するように作用し、軸４９に対して軸４５は前進し、この長さ（距離）をステップリンク杆４４が移動し、それゆえ、格納位置のステップフレーム３５が支持位置まで回動する。
【００１４】
したがって、ステップフレーム３５を回動させるためのモータ等が不要となる。
しかして、ステップフレーム３５は、ステップ回動軸３７中心に足掛部フレーム２２に対して回動するので、足掛部フレーム２２の前端との間に隙間を作ることなく、足掛部フレーム２２の長さを延長してベッドモードとする。
また、足掛部フレーム２２の下端が床面より離れるに従いステップフレーム３５は下方回動量が多くなり、ステップフレーム３５の先端が床面より所定距離上方に位置するところで、足掛部フレーム２２の先端を基準に表側に向けて回動開始するように設定しているから、着座モードにおいて、ステップフレーム３５は足掛部フレーム２２の裏側に位置して着座者の足に干渉せず、着座者の足面は床面に接触させられ、足掛部フレーム２２を上方回動させてベッドモードにしたときは足掛部フレーム２２の長さを延長して着座者の足を支持できる。
即ち、ステップフレーム３５はベッドモードのとき足掛部フレーム２２の長さを補う作用を期待し、ステップフレーム３５自体に所定の厚みが有るので、格納時あるいは着座モードのときに足掛部フレーム２２の前側に位置させると、ステップフレーム３５の上面から座席フレーム１６により座面高さが設定されることになって、初期位置の座面高さが高くなるが、多目的チェアフレーム本体１の使用目的からすると好ましくなく、座面高さの低設定とベッドモードにおける足掛部フレーム２２の延長とは両立しにくいが、本願のようにすることにより、初期位置の座面高さの低設定と、ベッドモードにおける足掛部フレーム２２の長さの確保とを両立させる。
【００１５】
以上のように、多目的チェアフレーム本体１は変位するが、これをまとめると、略水平にした座席フレーム１６と足掛部フレーム２２とステップフレーム３５に対して背凭フレーム９を面一にすることにより前記のベッドモードになり、更に、座席フレーム１６と足掛部フレーム２２とステップフレーム３５を上方回動させ、背凭フレーム９を下方回動させると、ステップフレーム３５側が高く、背凭フレーム９側が低くい展身モードに移行する。
しかして、多目的チェアフレーム本体１の左右何れか一側または両側には、アームレストフレーム５０を設け、アームレストフレーム５０は前側回動アーム５１と後側回動アーム５４からなるアームレストリンク５６により平行リンク状に形成し、後側回動アーム５４の上下部には夫々上側ロック機構６５と下側ロック機構６８を設け、上側ロック機構６５および下側ロック機構６８はアームレストリンク５６の回動をロックとアンロックに切替えるように構成し、上側ロック機構６５と下側ロック機構６８は互いに一方がロックになると他方がアンロックになるように構成しているから、下側ロック機構６８をロックさせると、後側回動アーム５４を含めたアームレストリンク５６の回動を背凭フレーム９に合わせてアームレストフレーム５０を前後に移動させつつ略水平状態に保持したアームレストモードにする。
また、上側ロック機構６５をロックすると、下側ロック機構６８がアンロックになって、アームレストフレーム５０は背凭フレーム９の前後回動にかかわらず所定の位置に常時位置して、レールモードとなる。
【００１６】
この場合、上側ロック機構６５と下側ロック機構６８は、後側回動アーム５４が略垂直のとき上側ロック機構６５をロックさせ、後側回動アーム５４が傾斜しているとき下側ロック機構６８をロックさせるようにしているから、互いにメカロックするのを防止している。
しかして、上側ロック機構６５は、アームレストフレーム５０に横軸５５と略同心状のロック用ガイド部材５８を設け、該ロック用ガイド部材５８にはロック孔５９を設け、ロック孔５９に係合する係合部材６０を後側回動アーム５４の取付板６１に移動自在に設け、係合部材６０はロック孔５９に向けて係合するように付勢するバネ６３を設け、前記ロック孔５９は後側回動アーム５４がレールモードのとき嵌合する位置に設けているから、操作部材６２により係合部材６０をロック孔５９から離脱させると、係合部材６０はロック用ガイド部材５８の外周を摺接するだけで、アームレストリンク５６をアンロック状態に保持し、それゆえ、アームレストリンク５６は背凭フレーム９の回動に対応して作動する。
また、アームレストフレーム５０をアームレストモードからレールモードの所定位置に移動させると、ロック孔５９にバネ６３の弾力により係合部材６０が係合し、アームレストフレーム５０と後側回動アーム５４との角度が固定され、これによりアームレストリンク５６の作動が固定され、レールモードとなる。
しかして、下側ロック機構６８は、アームレストフレーム５０に横軸１０と略同心状の下部ロック用ガイド部材６９を設け（実施例では軸筒部材を嵌合させている）、該下部ロック用ガイド部材６９には下部ロック孔７０を設け、下部ロック孔７０に係合する下部係合部材７１を後側回動アーム５４の下部取付板７２に移動自在に設け、下部係合部材７１は下部ロック孔７０に向けて係合するように付勢する下側バネ７４を設け、前記下部ロック孔７０は後側回動アーム５４がアームレストモードのとき嵌合する位置に設けているから、上側ロック機構６５をアンロックにしてアームレストフレーム５０を後側に押すと下部係合部材７１が下部ロック孔７０に係合してロックし、それゆえ、アームレストリンク５６は背凭フレーム９の回動に対応して作動する。
【００１７】
反対に、下部操作部材７３により下部係合部材７１を下部ロック孔７０から離脱させ、アームレストフレーム５０をアームレストモードからレールモードの所定位置に移動させると、下部係合部材７１は下部ロック用ガイド部材６９の外周を摺接するだけで下側ロック機構６８をアンロック状態に保持する一方で上側ロック機構６５によりアームレストフレーム５０と後側回動アーム５４との角度が固定され、これによりアームレストリンク５６の作動が固定され、レールモードとなる。
しかして、上側ロック機構６５は係合部材６０が下降するとアンロックになり、下側ロック機構６８は下部係合部材７１が上動するとアンロックになるので、操作部材６２と下部操作部材７３を上下に挟むようにすると、上側ロック機構６５と下側ロック機構６８は一度にアンロックになって、使用モードを変更でき、操作を頗る容易にする。
即ち、一つの操作部材のみ設けたのでは、あるモードに変更できても、他のモードに変更するのに同じ操作部材を使用してよいかわからずに、操作するときに混乱することがあるが、操作部材６２と下部操作部材７３の二つの操作部材を設けつつ、同時に操作するように構成することで、操作性を低下させずに操作の混乱を避けられる。
この場合、上側ロック機構６５と下側ロック機構６８は、ロック用ガイド部材のロック孔の位置を変更しているだけで、その他の構成は略同じであるから、二つの操作機構を設けることになっても、コストの上昇は充分に抑制できる。
【００１８】
しかして、上側ロック機構６５と下側ロック機構６８は、夫々ロック孔５９と下部ロック孔７０の位置を変更しているから、上側ロック機構６５の係合部材６０がロック孔５９に係合すると、下側ロック機構６８の下部係合部材７１が下部ロック孔７０から離脱し、反対に上側ロック機構６５の係合部材６０がロック孔５９から離脱すると、下側ロック機構６８の下部係合部材７１が下部ロック孔７０に係合して、上側ロック機構６５と下側ロック機構６８とを簡単な構成でメカロックするのを防止する。
しかして、前記前側回動アーム５１は上部アーム７７と下部アーム７８とに分割形成し、上部アーム７７と下部アーム７８は互いに伸縮自在に構成し、横軸５２と横軸５３との軸間距離を変更しうるように構成しているから、背凭フレーム９が後方回動する間に、アームレストフレーム５０と座席フレーム１６の間に異物が入っても、横軸５２と横軸５３との間の距離が広がるので、異物が挟まれるのを防止する。
即ち、アームレストフレーム５０と座席フレーム１６の間に異物が入って、アームレストフレーム５０を持ち上げようとすると、上部アーム７７の摺動筒７９が下部アーム７８に対して摺動し、間隔を広げ、所定距離摺動筒７９が移動すると摺動筒７９は下部アーム７８の上部の抜け止めストッパ８０に当接する。
また、摺動筒７９が移動した後に元に戻すと、ストッパ８１が下部アーム７８の上端に当接し、上部アーム７７の下降を停止させる。
この場合、上部アーム７７は板形状に形成し、この上部アーム７７に摺動筒７９を設け、摺動筒７９に軸形状の下部アーム７８を摺動自在に挿通しているので、少ない部品点数で伸縮機構を達成できる。
なお、「リクライニング」、「チルト」等の名称を構成部分に付し、また、「着座モード」等の語句を使用して説明しているが、理解を容易にするためであり、これらの名称や語句等によって、限定されるものではない。
【００１９】
【効果】
本発明は、床上に載置される支持下部フレーム２の上方に上部支持フレーム６を設け、該上部支持フレーム６に背凭フレーム９と座席フレーム１６を回動自在に取付け、該座席フレーム１６の前側に足掛部フレーム２２の基部を回動自在に設けたものにおいて、前記座席フレーム１６の左右何れか一側または両側には、アームレストフレーム５０を、アームレストリンク５６により前記背凭フレーム９の回動に応じて略水平状態を保持しつつ前後するアームレストモードと、前記背凭フレーム９の回動に関わらず座席フレーム１６の側方所定位置に固定状態となるレールモードとに切替えられるように構成し、前記アームレストフレーム５０と前記アームレストリンク５６の後側回動アーム５４の間にアームレストモードのときは互いを回動自在にしレールモードのときは両者を固定する上側ロック機構６５を設け、前記後側回動アーム５４の下部と前記背凭フレーム９との間には前記アームレストモードのとき前記背凭フレーム９の横軸１０側とロックする下側ロック機構６８を夫々設けた多目的チェアのアームレストとしたものであるから、背凭フレームの傾斜角度に関わらず略水平状態を保持させせてアームレストとしての使い勝手を確保するのは勿論こと、起立保持させてレールにも使用でき、多目的チェアの汎用性を向上させ、更に、上下にロック機構を設けたので、製造・組立て工程を簡素にして、コストを低くできる。
本発明は、前記アームレストにおいて、前記上側ロック機構６５と下側ロック機構６８は、夫々互いに一方がロックのときは他方がアンロックになるように構成した多目的チェアのアームレストとしたものであるから、簡単な構成でメカロックするのを防止する。
本発明は、前記アームレストにおいて、前記上側ロック機構６５および下側ロック機構６８は、アームレストフレーム５０と後側回動アーム５４の軸着部に回動中心と同心状のロック用ガイド部材５８、６９に、係合部材６０、７１が継脱するロック孔５９、７０を夫々設け、前記係合部材６０と前記下部係合部材７１は前記後側回動アーム５４の長さ方向であって互いに反対方向に移動して前記ロック孔５９、７０の夫々に継脱するように前記後側回動アーム５４に移動自在に夫々設けて構成した多目的チェアのアームレストとしたものであるから、二つの操作部材６２と下部操作部材７３とを設けつつ、常に同時に操作する構成なため、操作性を低下させずに操作の混乱を避けられる。
本発明は、前記アームレストにおいて、前記ロック孔５９は後側回動アーム５４が略垂直状態で係合部材６０が係合し、前記下部係合部材７１は傾斜状態で下部係合部材７１が係合するように構成した多目的チェアのアームレストとしたものであるから、簡単な構成でメカロックするのを防止する。
【図面の簡単な説明】
【図１】    フレーム本体の側面図（着座モード）。
【図２】    足掛部フレームを上動させた状態の側面図。
【図３】    図２のアームレストをレールモードにした側面図。
【図４】    背凭フレームを後方回動させた状態の側面図。
【図５】    足掛部フレームおよびステップ用リンク機構部分の側面図。
【図６】    足掛部フレームおよびステップ用リンク機構部分の側面図。
【図７】    ステップ用リンク機構の概略斜視図。
【図８】    ステップ用リンク機構と座席フレームおよび足掛部フレーム部分の平面図。
【図９】    ステップフレームの変位状態概略説明図。
【図１０】  フレーム本体の左半分部分の概略斜視図。
【図１１】  フレーム本体の左半分部分の概略斜視図。
【図１２】  上下ロック機構の側面図。
【図１３】  同断面図。
【図１４】  アームレストモード状態の側面図。
【図１５】  レールモードの側面図。
【図１６】  上下ロック機構の斜視図。
【図１７】  通常状態の前側アームの側面図。
【図１８】  伸長状態の前側アームの側面図。
【図１９】  通常状態の前側アームの斜視図。
【図２０】  伸長状態の前側アームの斜視図。
【符号の説明】
１…多目的チェアフレーム本体、２…支持下部フレーム、４…転輪、５…リフタ機構、６…上部支持フレーム、７…前後杆、８…後側ブラケット、９…背凭フレーム、１０…横軸、１１…リクライニング用モータ、１２…リクライニング用ロッド、１３…取付杆、１４…軸、１５…起立部、１６…座席フレーム、１７…後部枠、１８…軸、１９、２０…座席連結フレーム、２１…座席側アーム、２２…足掛部フレーム、２３…上部枠、２４…足掛側アーム、２５…足掛回動軸、２６…ストッパ面、３０…チルト用モータ、３１…チルト用ロッド、３２…アーム、３３…下部枠、３４…足掛側下部アーム、３５…ステップフレーム、３６…ステップ側アーム、３７…ステップ回動軸、４０…ステップ用リンク機構、４１…ブラケット、４２…中間アーム、４３…取付軸、４４…ステップリンク杆、４５…軸、４６…軸、４７…作動用リンク杆、４８…軸、４９…軸、５０…アームレストフレーム、５１…前側回動アーム、５２…横軸、５３…横軸、５４…後側回動アーム、５５…横軸、５６…アームレストリンク、５８…ロック用ガイド部材、５９…上部ロック孔、６０…上側係合部材、６１…取付板、６２…上側操作部材、６３…バネ、６５…上側ロック機構、６８…下側ロック機構、６９…下部ロック用ガイド部材、７０…下部ロック孔、７１…下部係合部材、７２…下部取付板、７３…下部操作部材、７４…下側バネ、７７…上部アーム、７８…下部アーム、７９…摺動筒、８０…抜け止めストッパ、８１…ストッパ。
【図１】
0004020419.tif 000002
【図２】
0004020419.tif 000003
【図３】
0004020419.tif 000004
【図４】
0004020419.tif 000005
【図５】
0004020419.tif 000006
【図６】
0004020419.tif 000007
【図７】
0004020419.tif 000008
【図８】
0004020419.tif 000009
【図９】
0004020419.tif 000010
【図１０】
0004020419.tif 000011
【図１１】
0004020419.tif 000012
【図１２】
0004020419.tif 000013
【図１３】
0004020419.tif 000014
【図１４】
0004020419.tif 000015
【図１５】
0004020419.tif 000016
【図１６】
0004020419.tif 000017
【図１７】
0004020419.tif 000018
【図１８】
0004020419.tif 000019
【図１９】
0004020419.tif 000020
【図２０】
0004020419.tif 000021